(57)【要約】【課題】扉を上下反転させて付け替えることで扉の開き方向を左右逆向きに変更することができ、また、扉を上下反転させても、操作性が損なわれず、また、扉に付された文字等の表示も正しく表示され、さらに外観も殆ど変わらない施錠付収納体を提供する。【解決手段】扉体２の高さ方向の中間位置に、施錠機構３と、取手部４と、文字・数字若しくは記号又は図形が表示される表示部５とが設けられ、この表示部５は、該表示部５自体が扉体２に対して上下反転自在に設けられている構成、又は、該表示部５に設けられた表示片５Ａが上下反転自在に設けられている構成とされて、扉体２の上下反転操作に伴い、表示部５自体または表示片５Ａを上下反転させることで、表示部５の表示を正しい向きで表示させることができるように構成されている施錠付収納体。【選択図】図１
2019044441.tif 000002
【特許請求の範囲】
【請求項１】
収納物を出し入れする開口部を有する収納部本体と、この収納部本体の前記開口部を開閉自在に閉塞する扉体と、前記開口部を閉塞している状態の前記扉体の開き操作を不能にする施錠機構とで構成され、前記収納部本体に取り付けられた前記扉体を上下反転させて付け替えることで、該扉体の開き方向を、付け替える前の開き方向と左右逆方向に変更することができる施錠付収納体であって、前記扉体は、該扉体の高さ方向の中間位置に、前記施錠機構と、該扉体を開閉操作する際の取手部と、文字・数字若しくは記号又は図形が表示される表示部とが設けられた構成とされ、前記表示部は、前記表示が記される表示片が上下反転自在に設けられている構成又はこの表示部自体が前記扉体に上下反転自在に設けられている構成とされて、前記扉体の上下反転操作に伴い、前記表示片又は前記表示部自体を上下反転させることで、この表示部の表示を正しい向きで表示させることができるように構成されていることを特徴とする施錠付収納体。
【請求項２】
前記扉体は、前記施錠機構と前記表示部とがこの扉体の高さ方向の中間位置に、横一列に配置されていることを特徴とする請求項１記載の施錠付収納体。
【請求項３】
前記施錠機構には、施錠状態か施錠解除状態かを目視により判断できる施錠状態表示部が設けられており、この施錠状態表示部は、施錠状態を示す表示及び施錠解除状態を示す表示がいずれも上下左右対称の表示とされ、前記扉体を上下反転してもその表示状態が変わらない構成とされることを特徴とする請求項１，２のいずれか１項に記載の施錠付収納体。
【請求項４】
前記施錠機構には、施錠操作用のつまみ部が設けられており、このつまみ部を所定方向にスライドさせることで、この施錠機構の錠部が作動して前記収納部本体側の錠受部に係合して施錠状態になると共に、前記施錠状態表示部が施錠状態を示す表示になる構成とされることを特徴とする請求項３記載の施錠付収納体。
【請求項５】
前記扉体は、左右いずれか一側にこの扉体を前記収納部本体に対して開閉可能に支持する扉支持部材が設けられると共に、前記施錠機構が、前記扉支持部材が設けられる側と反対側の側縁部からこの施錠機構の錠部が施錠操作により突出するように設けられている構成とされ、前記収納部本体は、正面側の左右両側に夫々、この収納部本体に前記扉体を開閉自在に連結する前記扉支持部材を取り付ける扉支持部材取付部と、前記施錠機構の錠部が係合係止する錠受部とが左右対称に設けられている構成とされることを特徴とする請求項１〜４のいずれか１項に記載の施錠付収納体。
【発明の詳細な説明】
【技術分野】
【０００１】
本発明は、例えば、宅配ボックスのような施錠付収納体に関するものである。
【背景技術】
【０００２】
左右方向に開閉する扉を有する施錠付収納体は、その設置レイアウトにより、扉が右開きのほうが使い勝手が良い場合と、左開きのほうが使い勝手が良い場合がある。
【０００３】
そのため、同じ型の収納体でも、扉が右開きタイプのものと、左開きタイプのものの両方の需要があるが、実質的に同型の収納体において、右開きタイプのものと、左開きタイプのものの二種類のタイプを製造することは、作業の切り替えなどが生じ、生産効率が悪く、生産性を低下させる要因となってしまう。
【０００４】
このような右開きタイプ、左開きタイプの二種類のタイプの製造を回避することを目的として、従来、特許文献１に示すような扉を上下反転させて付け替えることで、扉の開き方向を変更することができる収納体が提案されている（特許文献１）が、この収納体は、施錠機構を具備せず、また、扉自体も文字表示などがされておらず、上下反転しても外観上、何ら不具合が生じるものではないが、宅配ボックスのような施錠機構を具備し、さらに、扉に文字等の表示が付されたものは、扉を上下反転させて付け替えると、施錠の位置が変わり施錠操作がしにくくなったり、扉に付した表示の位置が変わり見えづらくなったり、さらに表示文字が上下逆さになって正しく表示されなくなるなどの不具合が生じてしまう。
【先行技術文献】
【特許文献】
【０００５】
【特許文献１】特開２００５−２２０５９５号公報
【発明の概要】
【発明が解決しようとする課題】
【０００６】
本発明は、上述のような現状に鑑みなされたもので、宅配ボックスのような施錠機構を具備し、扉に文字等の表示が付された施錠付収納体において、扉を上下反転させて付け替えることで扉の開き方向を左右逆向きに変更することができ、しかも、扉を上下反転させても、施錠機構の操作性が損なわれず、また、扉に付された文字等の表示も正しく表示され、右開き、左開きのいずれの開き方向に扉を付け替えても外観も使い勝手も殆ど変わらない施錠付収納体を提供することを目的とする。
【課題を解決するための手段】
【０００７】
添付図面を参照して本発明の要旨を説明する。
【０００８】
収納物を出し入れする開口部１Ａを有する収納部本体１と、この収納部本体１の前記開口部１Ａを開閉自在に閉塞する扉体２と、前記開口部１Ａを閉塞している状態の前記扉体２の開き操作を不能にする施錠機構３とで構成され、前記収納部本体１に取り付けられた前記扉体２を上下反転させて付け替えることで、該扉体２の開き方向を、付け替える前の開き方向と左右逆方向に変更することができる施錠付収納体であって、前記扉体２は、該扉体２の高さ方向の中間位置に、前記施錠機構３と、該扉体２を開閉操作する際の取手部４と、文字・数字若しくは記号又は図形が表示される表示部５とが設けられた構成とされ、前記表示部５は、前記表示が記される表示片５Ａが上下反転自在に設けられている構成又はこの表示部５自体が前記扉体２に上下反転自在に設けられている構成とされて、前記扉体２の上下反転操作に伴い、前記表示片５Ａ又は前記表示部５自体を上下反転させることで、この表示部５の表示を正しい向きで表示させることができるように構成されていることを特徴とする施錠付収納体に係るものである。
【０００９】
また、前記扉体２は、前記施錠機構３と前記表示部５とがこの扉体２の高さ方向の中間位置に、横一列に配置されていることを特徴とする請求項１記載の施錠付収納体に係るものである。
【００１０】
また、前記施錠機構３には、施錠状態か施錠解除状態かを目視により判断できる施錠状態表示部６が設けられており、この施錠状態表示部６は、施錠状態を示す表示及び施錠解除状態を示す表示がいずれも上下左右対称の表示とされ、前記扉体２を上下反転してもその表示状態が変わらない構成とされることを特徴とする請求項１，２のいずれか１項に記載の施錠付収納体に係るものである。
【００１１】
また、前記施錠機構３には、施錠操作用のつまみ部７が設けられており、このつまみ部７を所定方向にスライドさせることで、この施錠機構３の錠部８が作動して前記収納部本体１側の錠受部９に係合して施錠状態になると共に、前記施錠状態表示部６が施錠状態を示す表示になる構成とされることを特徴とする請求項３記載の施錠付収納体に係るものである。
【００１２】
また、前記扉体２は、左右いずれか一側にこの扉体２を前記収納部本体１に対して開閉可能に支持する扉支持部材10が設けられると共に、前記施錠機構３が、前記扉支持部材10が設けられる側と反対側の側縁部からこの施錠機構３の錠部８が施錠操作により突出するように設けられている構成とされ、前記収納部本体１は、正面側の左右両側に夫々、この収納部本体１に前記扉体２を開閉自在に連結する前記扉支持部材10を取り付ける扉支持部材取付部11と、前記施錠機構３の錠部８が係合係止する錠受部９とが左右対称に設けられている構成とされることを特徴とする請求項１〜４のいずれか１項に記載の施錠付収納体に係るものである。
【発明の効果】
【００１３】
本発明は上述のように構成したから、扉体を上下反転させて付け替えて、扉体の開き方向を左右入れ替えることができると共に、扉体の開き方向を変更しても、施錠機構の操作性が損なわれず、また、扉体に付された文字等の表示もほぼ同じ位置にして上下反転することなく正しく表示され、外観も殆ど変わらず、使用の際に違和感なく使用することができる使い勝手の良い施錠付収納体となる。
【図面の簡単な説明】
【００１４】
【図１】本実施例（左開きタイプ）を示す正面図である。
【図２】本実施例（左開きタイプ）を示す説明斜視図である。
【図３】本実施例（右開きタイプ）を示す正面図である。
【図４】本実施例（右開きタイプ）を示す説明斜視図である。
【図５】本実施例（左開きタイプ）の要部を示す説明平断面図である。
【図６】本実施例の取手部を示す説明平断面図である。
【図７】本実施例の施錠機構（表側）を示す説明図であり、（ａ）は施錠状態を示す図であり、（ｂ）は施錠解除状態を示す図である。
【図８】本実施例の施錠機構（裏側）を示す説明図であり、（ａ）は施錠状態を示す図であり、（ｂ）は施錠解除時の各部の動作を説明する図である。
【図９】本実施例における扉体の開き方向変更方法の手順説明図である。
【図１０】本実施例における扉体の開き方向変更方法の手順説明図である。
【図１１】本実施例における扉体の開き方向変更方法の手順説明図である。
【発明を実施するための形態】
【００１５】
好適と考える本発明の実施形態を、図面に基づいて本発明の作用を示して簡単に説明する。
【００１６】
扉体２の開き方向を変更する場合、まず、収納部本体１から扉体２を取り外し、周方向に１８０°回転させて、扉体２を正面視上下反転させる。
【００１７】
この際、本発明は、施錠機構３、取手部４及び表示部５が扉体２の高さ方向の中間位置に設けられているから、高さ方向においては、その配置が変わらず、扉体２の開き方向によって、左右の位置関係が入れ替わるだけとなり、施錠機構３の操作性や取手部４を掴んでの開閉操作性は、右開きにした場合と左開きにした場合で略変わりない。
【００１８】
また、扉体２を上下反転させることで、表示部５に表示されている文字などが逆さになるが、本発明は、表示部５に設けられた表示片５Ａが上下反転自在に設けられている構成、または表示部５自体が扉体２に上下反転自在に設けられている構成とされているから、扉体２の上下反転に伴い、例えば、表示部５から表示片５Ａを一端取り外し、表示片５Ａを上下反転させて表示部５に付け直す、或いは、表示部５自体を上下反転させることで、表示部５に表示される文字などの表示を正しい向きで表示させることができる。
【００１９】
この上下反転して左右を入れ替えると共に表示部５を正しく表示させた扉体２を収納部本体１に取り付けることで、扉体２の開き方向が、付け替える前の開き方向と左右逆向きの開き方向に変更された施錠付収納体となる。
【００２０】
このように、本発明は、扉体２を上下反転させて付け替えて、扉体２の開き方向を左右入れ替えても、施錠機構３の操作性が損なわれず、また、扉体２に付された表示部５の文字等の表示も正しく表示することができ、外観も殆ど変わらず、使用の際に違和感なく使用することができる使い勝手の良い施錠付収納体となる。
【００２１】
従って、使用者は、そのレイアウトに合わせて、扉体２の開き方向を容易に所望の開き方向に変更することができ、扉体２の開閉操作を良好に行える状態で使用することができることとなる。
【００２２】
また、メーカーも同型の施錠付収納体において、右開きタイプと左開きタイプの二種類を製造しなくてもよいので、生産性が損なわれず効率的に生産することができることとなる。
【実施例】
【００２３】
本発明の具体的な実施例について図面に基づいて説明する。
【００２４】
本実施例は、収納物を出し入れする開口部１Ａを有する収納部本体１と、この収納部本体１の前記開口部１Ａを開閉自在に閉塞する扉体２と、前記開口部１Ａを閉塞している状態の前記扉体２の開き操作を不能にする施錠機構３とで構成され、前記収納部本体１に取り付けられた前記扉体２を上下反転させて付け替えることで、該扉体２の開き方向を、付け替える前の開き方向と左右逆方向に変更することができる施錠付収納体であり、具体的には、本実施例は、前記施錠付収納体を宅配ボックスとして構成した場合である。
【００２５】
以下、本実施例に係る構成各部について詳述する。
【００２６】
本実施例の収納部本体１は、正面（前面）側に開口部１Ａを有する方形箱状に形成され、また、正面側の左右両側に、夫々、この収納部本体１に扉体２を開閉自在に連結する扉支持部材10を取り付ける扉支持部材取付部11と、施錠機構３の錠部８が係合係止する錠受部９とが、左右対称に設けられた左右対称構造とされている。
【００２７】
具体的には、本実施例の収納部本体１は、正面側開口部１Ａの周縁に沿って帯板状の縁枠面部12が設けられ、また、正面視左右両側に位置する縁枠面部12には、夫々、扉体２を取り付ける扉体取付部13が設けられており、この扉体取付部13は、Ｌ字状に形成される縦長部材からなり、上部側と下部側の二箇所に、扉体２を収納部本体１に対して開閉自在に支持する扉支持部材10を取り付ける扉支持部材取付部11が設けられている構成とされている。
【００２８】
より具体的には、本実施例では、前記扉支持部材10としてヒンジ部材、具体的には、蝶番10を用いる構成とされ、これに伴い、本実施例の扉支持部材取付部11は、この蝶番10を螺着固定するための螺着孔11に構成されている。なお、本実施例においては、各蝶番10を一本の扉取付用ネジ24で固定する構成とされ、上下二箇所に形成した螺着孔11のいずれか一方（本実施例では上側の螺着孔11）を後述する蝶番10に、前記扉取付用ネジ24と共に設けられる位置決め用突起部25と係合する位置決め係合孔11Ａとする構成とされている。
【００２９】
また、本実施例は、図５に示すように、施錠機構３の錠部８が、縁枠面部12の裏側面に係合係止する構成とされ、本実施例は、この縁枠面部12の裏側面における長さ方向中央部を施錠機構３の錠部８が係合係止する錠受部９とする構成とされている。
【００３０】
また、本実施例の扉体２は、正面視方形状に形成され、裏面部の左右方向いずれか一側の上部側と下部側の二箇所に、夫々、この扉体２を収納部本体１に開閉自在に取り付けるための蝶番10（扉支持部材10）が設けられており、また、この扉体２の高さ方向の中間位置に、施錠機構３と、この扉体２を開閉操作する際の取手部４と、文字・数字若しくは記号又は図形が表示される表示部５とが横一列状態で配置される構成とされている。
【００３１】
具体的には、本実施例では、蝶番10が設けられている側から表示部５、施錠機構３の順に配置され、取手部４は、施錠機構３と一体に設けられる構成とされている。
【００３２】
また、この施錠機構３に一体に設けられる本実施例の取手部４は、図６に示すように、施錠機構３の表面部に凹設される施錠操作用のつまみ部７の移動用空間部26と、この移動用空間部26の開口部の一側端部、具体的には、施錠機構３を施錠する際につまみ部７を移動する施錠方向側端部を閉塞するように設けられる指掛け部27とからなる構成とされ、使用者は、このつまみ部７の移動用空間部26に指先を入れ、開口縁から突出する指掛け部27に指先を引っ掛けて扉体２を開閉操作することができるように構成されている。
【００３３】
また、扉体２の上下二箇所に設けられる蝶番10は、その配置が扉体２の高さ方向中間位置から同じ離間間隔となる位置に設けられており、扉体２を上下反転しても実質的に蝶番10の位置が変わらない構成とされている。
【００３４】
また、本実施例の蝶番10は、扉体２と係合する側に扉取付用ネジ24と位置決め用突起部25が一体に設けられており、本実施例の扉体２は、この扉取付用ネジ24と位置決め用突起部25を収納部本体１に設けられた螺着孔11及び位置決め係合孔11Ａに挿入し、扉体２を鍋本体１に対して位置決め状態にした後、螺着孔11から突出した扉取付用ネジ24にナット28を螺着して収納部本体１に取り付ける構成とされている。なお、本実施例は、ナット28として手締めナット28を採用し、工具を用いることなく扉体２を着脱することができるように構成されている。
【００３５】
また、この扉体２に設けられる施錠機構３は、蝶番10が設けられる側と反対側寄りに設けられていて、施錠操作により、この施錠機構３に設けられた錠部８が扉体２の蝶番10が設けられた側と反対側の側縁部から突出して、前述した収納部本体１の錠受部９、即ち、収納部本体１の縁枠面部12に重なり係合するように設けられている。
【００３６】
また、本実施例の施錠機構３は、施錠状態か施錠解除状態かを目視により判断できる施錠状態表示部６が設けられており、この施錠状態表示部６は、施錠状態を示す表示及び施錠解除状態を示す表示がいずれも上下左右対称の表示とされ、前記扉体２を上下反転してもその表示状態が変わらない構成とされており、具体的には、本実施例の施錠機構３は、施錠操作用のつまみ部７が設けられており、このつまみ部７を横スライドさせることで、この施錠機構３の錠部８が作動して、前述した収納部本体１に設けられた錠受部９に係合して施錠状態になると共に、この施錠状態表示部６が施錠状態を示す表示になる構成とされている。
【００３７】
また、本実施例においては、図７に示すように、この施錠状態を示す表示が赤色の下地に×記号が記された構成とされ、また、施錠解除状態を示す表示が青（緑）色の下地に○記号が記された構成とされている。
【００３８】
また、本実施例の施錠機構３について、更に説明すると、本実施例の施錠機構３は、図８に示すように、施錠部14と、先端に錠部８が設けられたスライド部15と、このスライド部15をガイドするガイド部16と、スライド部15をロック状態（スライド操作不能）にするスライドロック部17とからなる構成とされている。
【００３９】
具体的には、施錠部14は、鍵操作に連動して作動する押し上げ操作片部18を有し、鍵操作によりこの押し上げ操作片部18を作動させて後述するスライドロック部17の一側を押し上げ操作するように構成されている。
【００４０】
また、スライド部15は、Ｌ字状に形成される基体部の表面側中央に前述したつまみ部７が設けられ、このつまみ部７を境にして、正面視左側に施錠状態を示す表示、右側に施錠解除状態を示す表示が記されていている。また、裏面側に錠部８と、ガイド部16に係合されるガイド係合部19が設けられ、さらに、底部には、後述するスライドロック部17が係止する係止孔20が設けられた構成とされている。
【００４１】
また、スライドロック部17は、先端部に前述したスライド部15の底部に設けられた係止孔20に差し込み係合する突起部23を有し、扉体２に揺動自在に枢着されるリンク部材21と、このリンク部材21の突起部23が設けられた先端部側を押し上げ付勢する付勢体22とからなる構成とされ、この付勢体22により押し上げ付勢される突起部23が、前述したスライド部15の係止孔20に挿入係止することで、スライド部15をスライド操作不能な状態にする構成とされている。
【００４２】
即ち、本実施例の施錠機構３は、施錠時は、鍵が不要で、施錠が解除されている施錠解除状態に位置するスライド部15を施錠方向にスライド操作することで、スライド部15に設けられた錠部８が扉体２の側縁部から突出して収納部本体１に設けられる錠受部９に係合（重なり係合）状態になると共に、スライド部15の係止孔20にスライドロック部17の突起部23が挿入係止して、スライド部15のスライド操作を不能状態にすることで施錠状態が保持され、施錠解除時は、鍵を錠部14に差し込んで鍵操作し、この錠部14に設けられる押し上げ操作片部18を作動させ（回動操作して）スライドロック部17のリンク部材21の突起部23が設けられた側と反対側（リンク部材21の基端部）を付勢体22の付勢力に抗して押し上げ操作することで、突起部23のスライド部15の係止孔20への係止状態が解除（ロック解除）されてスライド部15がスライド操作可能な状態となり、このロック解除によりスライド可能となったスライド部15を施錠解除方向にスライド操作して錠部８を錠受部９から離脱させる（係合解除する）ことで施錠解除する構成とされている。
【００４３】
また、この施錠機構３と横一列状態で扉体２の表面部に設けられる表示部５は、例えば、使用者の氏名や住所、部屋番号などの使用者情報や、宅配物を届ける宅配業者に対する伝言（図示するような感謝のことばや本宅配ボックスの使用方法等）を示す文字・数字若しくは記号又は図形が記された表示片５Ａと、この表示片５Ａを挿脱自在に収納する表示片収納部５Ｂと、この表示片収納部５Ｂの開口部を開閉自在に閉塞し、この表示片収納部５Ｂに収納された表示片５Ａの抜脱を防止する蓋部５Ｃとからなる構成とされている。
【００４４】
具体的には、本実施例の表示部５は、扉体２の表面部に形成される開口部に、透明若しくは半透明部材で形成される表示片収納部５Ｂを扉体２の裏側から嵌め込み配設し、この扉体２の裏側に開口する表示片収納部５Ｂの収納開口部から表示片５Ａをこの表示片収納部５Ｂ内に収納し、この表示片５Ａを表示片収納部５Ｂに収納した状態でこの表示片収納部５Ｂの収納開口部を蓋部５Ｃで閉塞してなる構成とされ、扉体２を上下反転操作して、この表示部５の表示、すなわち表示片収納部５Ｂに収納された表示片５Ａが上下逆さに表示される状態になっても、蓋部５Ｃを取り外し、表示片収納部５Ｂの収納開口部を開口してこの表示片収納部５Ｂから表示片５Ａを取り出し、この取り出した表示片５Ａを上下反転させて、再び表示片収納部５Ｂに収納した後、収納開口部を蓋部５Ｃで閉塞することで、表示部５の表示文字等を正しい向きで表示させることができるように構成されている。
なお、この表示部５に関しては、例えば、表示部５自体が扉体２に上下反転自在に設けられている構成とされ、扉体２の上下反転に合わせて、表示部５も上下反転させて、表示部５の表示を正しい向きで表示させるように構成しても良く、また、扉体２の表面部に表示片収納部を設け、例えば横方向から挿脱自在に表示片５Ａを挿入する構成としても良い。
【００４５】
次に、上述のように構成される本実施例の扉体２の開き方向を変更する際の手順について説明する。尚、本実施例では、図示するように、扉体２の開き方向を左開きから右開きに変更する場合について説明する。
【００４６】
まず、図９（ｂ）に示すように、図収納部本体１から扉体２を取り外す。具体的には、手で手締めナット28を緩めて扉取付用ネジ24から取り外し、扉体２を収納部本体１から取り外す。
【００４７】
次いで、図９（ｃ）に示すように、この取り外した扉体２を周方向に１８０°回転させて上下左右反転させる。
【００４８】
次いで、図１０（ｄ）〜（ｆ）に示すように、扉体２の上下反転に伴い上下逆さになった表示部５の表示を正しい向きに表示させるため、表示片収納部５Ｂから蓋部５Ｃを取り外し、表示片収納部５Ｂから文字等が記された表示片５Ａを一端取り出し、この表示片５Ａを上下反転させた後、再度、表示片収納部５Ｂ内に収納した後、蓋部５Ｃを取り付け、表示片５Ａを表示片収納部５Ｂに対して抜脱不能な状態にする。
【００４９】
最後に、図１１（ｇ）に示すように、この表示部５の表示を正しい向きにした扉体２を収納部本体１の正面視右側の扉体取付部13に取り付ける。具体的には、各蝶番10に設けられた扉取付用ネジ24及び位置決め用突起部25を夫々、収納部本体１の螺着孔11及び位置決め係合孔11Ａに挿入し、扉体２を収納部本体１に対して位置決め状態にした後、螺着孔11から突出する扉取付用ネジ24に手締めナット28を手で螺着し固定する。
【００５０】
以上により、図８（ａ）に示す左開きから図１０（ｈ）に示す右開きへと扉体２の開き方向を変更することができる。
【００５１】
また、本実施例は、この扉体２の開き方向を左右入れ替えても、図示（例えば図１,３）するように、施錠機構３と取手部４と表示部５の高さ位置は変わらず、これらの左右の位置関係が入れ替わるだけになるので、見た目は殆ど変わらず、また、使い勝手（施錠機構３の施錠操作や取手部４を掴んでの扉体２の開閉操作等）も変わらないこととなる。
【００５２】
また、本実施例では、予め扉体２が収納部本体１に取り付けられていて、扉体２の開き方向を変更することができる施錠付収納体とした構成例について説明したが、例えば、製品状態において、収納部本体１と扉体２とを組み付けず分離状態にしておき、購入者が、購入後に自分の所望の開き方向に扉体２を組み付ける組立式施錠付収納体としても良い。
【００５３】
尚、本発明は、本実施例に限られるものではなく、各構成要件の具体的構成は適宜設計し得るものである。
【符号の説明】
【００５４】
１  収納部本体
１Ａ  開口部
２  扉体
３  施錠機構
４  取手部
５  表示部
５Ａ  表示片
６  施錠状態表示部
７  つまみ部
８  錠部
９  錠受部
10  扉支持部材
11  扉支持部材取付部
【図１】
2019044441.tif 000003
【図２】
2019044441.tif 000004
【図３】
2019044441.tif 000005
【図４】
2019044441.tif 000006
【図５】
2019044441.tif 000007
【図６】
2019044441.tif 000008
【図７】
2019044441.tif 000009
【図８】
2019044441.tif 000010
【図９】
2019044441.tif 000011
【図１０】
2019044441.tif 000012
【図１１】
2019044441.tif 000013